(57)【要約】【課題】ストローに簡便に取り付けることができて、ストローの意匠性を容易に高めることができるストロー用装飾体を提供すること。【解決手段】装飾体１０は、筒状のストロー５に取り付けて使用し、復元可能に撓むことのできるシート材９からなる。装飾体１０は、両側の縁の一方が、上縁側部１１とし、他方が下縁側部２１として構成されるとともに、上縁側部と下縁側部との間に、装飾部３０が配設される。装飾部３０の裏面１０ｂ側から上縁側部１１と下縁側部２１との表面１０ａ側にストロー５を配置可能に、ストロー５を挿通可能な挿通孔１２，２２が、上縁側部１１と下縁側部２１とに、配設されている。【選択図】図１
2017205360.tif 000002
【特許請求の範囲】
【請求項１】
筒状のストローに取り付けるストロー用装飾体であって、
復元可能に撓むことのできるシート材からなり、
両側の縁の一方が、上縁側部とし、他方が下縁側部として構成されるとともに、前記上縁側部と前記下縁側部との間に、装飾部が配設される構成として、
前記装飾部の裏面側から前記上縁側部と前記下縁側部との表面側に前記ストローを配置可能に、前記ストローを挿通可能な挿通孔が、前記上縁側部と前記下縁側部とに、配設されていることを特徴とするストロー用装飾体。
【請求項２】
前記上縁側部と前記下縁側部との各々の前記挿通孔の周縁における前記装飾部から離れた外縁側と前記装飾部に近い内縁側とが、前記上縁側部と前記下縁側部との前記挿通孔への前記ストローの挿通時において、前記装飾部の復元力によって前記ストローの外周面に圧接される支持部、を構成していることを特徴とする請求項１に記載のストロー用装飾体。
【発明の詳細な説明】
【技術分野】
【０００１】
本発明は、コップ等に差し込まれるストローに取り付けて使用されるストロー用装飾体に関する。
【背景技術】
【０００２】
従来、装飾性を高めたストローとしては、装飾部がストロー本体と一体的に組み付けられているものがあった（例えば、特許文献１参照）。このストローは、ストロー本体が、装飾部の配置部位で二分割され、下部側の本体下部が、下端に飲料吸引用の開口を有し、上部側の本体上部が、上端に飲み口用の開口を有し、両者の対向部位に、相互に連通する連通口部を配設させるとともに、装飾部を配設させていた。装飾部は、ストロー本体の軸直交方向に張り出た薄板状のケースと、ケース内に収納された装飾シートと、装飾シートから延びてストロー本体における飲料の通過する部位に配置される浮きと、を備えていた。ケースは、動物の顔を模した形状に形成されて、上部側に、動物の目を部分的に露出させる透明なのぞき窓を設けていた。そして、装飾シートには、動物の通常時の目や笑った際の目が描かれていた。
【０００３】
このストローでは、飲料を吸引する際、通過する飲料に浮きが引っ張られて、装飾部に設けられたのぞき窓に、装飾シートの笑った目が配置され、飲料の吸引を止めれば、浮きが戻って、のぞき窓に、装飾シートに描かれた通常時の目が配置されることとなって、装飾部のケースの外形形状や複数種類に描かれた装飾シートの目により、ストローの装飾効果を高めていた。
【先行技術文献】
【特許文献】
【０００４】
【特許文献１】特開２００４−１４７８３９号公報
【発明の概要】
【発明が解決しようとする課題】
【０００５】
しかし、従来のストローでは、装飾部が、ストロー本体に一体的に組み付けられて構成されるものであり、すなわち、ストロー自体が装飾部を一体的に組み付けて構成されていることから、既存のストローには、利用できなかった。そのため、既存のストローに簡便に取り付けることができて、既存のストローの意匠効果を容易に高めることのできるストロー用装飾体が望まれていた。
【０００６】
本発明は、上述の課題を解決するものであり、ストローに簡便に取り付けることができて、ストローの意匠性を容易に高めることができるストロー用装飾体を提供することを目的とする。
【課題を解決するための手段】
【０００７】
本発明に係るストロー用装飾体は、筒状のストローに取り付けるストロー用装飾体であって、
復元可能に撓むことのできるシート材からなり、
両側の縁の一方が、上縁側部とし、他方が下縁側部として構成されるとともに、前記上縁側部と前記下縁側部との間に、装飾部が配設される構成として、
前記装飾部の裏面側から前記上縁側部と前記下縁側部との表面側に前記ストローを配置可能に、前記ストローを挿通可能な挿通孔が、前記上縁側部と前記下縁側部とに、配設されていることを特徴とする。
【０００８】
本発明に係るストロー用装飾体では、装飾部の裏面側から上縁側部と下縁側部との表面側にストローを配置させるように、上縁側部と下縁側部との挿通孔に、ストローを挿通させれば、装飾部の全域が、ストローに隠れずに、露出されることとなって、装飾部により、ストローの意匠効果が高められる。また、上縁側部と下縁側部との挿通孔に共にストローを挿通させれば、装飾部を含めたストロー用装飾体が、ストローから外れない。すなわち、単に、上縁側部と下縁側部との挿通孔にストローを挿通させるだけで、簡単に、ストロー用装飾体をストローに取り付けることができる。
【発明の効果】
【０００９】
本発明に係るストロー用装飾体は、ストローに簡便に取り付けることができて、ストローの意匠性を容易に高めることができる。
【図面の簡単な説明】
【００１０】
【図１】本発明の一実施形態のストロー用装飾体の使用状態を示す斜視図である。
【図２】実施形態のストロー用装飾体の正面図である。
【図３】実施形態のストロー用装飾体の背面図である。
【図４】実施形態のストロー用装飾体の右側面図である。
【図５】実施形態のストロー用装飾体の平面図である。
【図６】実施形態のストロー用装飾体の断面図であり、図２のVI−VI部位に対応する。
【図７】実施形態のストロー用装飾体の使用状態の断面図である。
【図８】変形例のストロー用装飾体の正面図である。
【図９】図８に示すストロー用装飾体の使用状態を示す斜視図と側面図である。
【発明を実施するための形態】
【００１１】
以下、本発明の一実施形態を図面に基づいて説明すると、実施形態のストロー用装飾体１０は、図１に示すように、汎用の筒状のストロー５を挿通させるようにして、ストロー５に取り付けて使用する。ストロー用装飾体１０は、復元可能に撓むことのできるシート材９から形成されて、上縁側部１１、下縁側部２１、及び、上縁側部１１と下縁側部２１との間の装飾部３０の三つの部位から、構成されている。
【００１２】
すなわち、装飾体１０は、上下両側の縁の一方の上縁側が、上縁側部１１として構成され、他方の下縁側が下縁側部２１として構成され、上縁側部１１と下縁側部２１との間の中間部が、装飾部３０としている。上縁側部１１と下縁側部２１とは、中央に、ストロー５を挿通させる円形に開口した挿通孔１２，２２を配設させた略円環状としている。そして、上縁側部１１は、下縁１１ｂを装飾部３０の上縁３０ａに結合させ、下縁側部２１は、上縁２１ａを装飾部３０の下縁３０ｂに結合させている。
【００１３】
装飾部３０は、実施形態の場合、略楕円形状として、大きく曲げ変形可能として、表面１０ａ側に、果実（みかん）の絵を描いて構成される装飾本体部３１が目視できるように配設されている。また、装飾部３０の裏面１０ｂ側から上縁側部１１と下縁側部２１との表面１０ａ側に、ストロー５を配置させるように、ストロー５を挿通孔１２，２２に挿通させる際、装飾部３０を表面１０ａ側に凸状に突出させるように曲げつつ、上縁側部１１と下縁側部２１との端縁側相互を接近させても、すなわち、上縁１１ａと下縁２１ｂとを相互に接近させても、装飾部３０は、折目を付けずに、略円弧状に曲げ変形可能としている。
【００１４】
具体的には、装飾体１０を形成するシート材９は、白ボール紙の板紙等の紙からなる基材３５と、基材３５の表面側に印刷されて、装飾部３０の装飾本体部３１を構成するインク層３６と、インク層３６を覆って基材３５の表面側の全域に貼着される透明な合成樹脂製のフィルム層３７と、を備えて構成されている。フィルム層３７は、ＰＥＴ，ＰＥ，ＰＰ等の合成樹脂製の透明なラミネートフィルムから形成されている。また、基材３５は、復元可能に撓むことのできる腰のある白ボール紙等の板紙から形成されている。また、インク層３６は、基材３５にスクリーン印刷等により印刷されて、配設されている。
【００１５】
なお、フィルム層３７は、インク層３６を保護する役目を果たすととも、基材３５の表面側の全域を覆っている。そのため、フィルム層（ラミネートフィルム）３７は、紙からなる基材３５に防水性を付与している。そして特に、基材３５が厚さを薄くした紙から形成されていても、ラミネートフィルム３７が基材３５に貼着（ラミネート）されることにより、基材３５の弾性変形量、すなわち、基材３５の復元可能な曲げ変形量、を大きく確保できることに寄与できて、装飾部３０を、復元しないような折目を付けることを抑制して、円弧状に曲げ弾性変形し易くしている。
【００１６】
そして、装飾体１０の製造は、大きな所定形状の基材３５の所定の複数箇所に、装飾本体部３１を形成するインク層３６を印刷して、その基材３５の表面側の全域を覆うようにフィルム層（ラミネートフィルム）３７を貼着し、ついで、挿通孔１２，２２を孔開け加工するとともに、１枚ずつの装飾体１０に裁断すれば、装飾体１０を製造することができる。
【００１７】
このように製造された装飾体１０は、ストロー５を挿通孔１２，２２に挿通可能に、装飾部３０の表面１０ａ側を凸状に突出させるように曲げつつ、上縁側部１１の上縁１１ａと下縁側部２１の下縁２１ｂとを相互に接近させても（但し、上縁側部１１の上縁１１ａと下縁側部２１の下縁２１ｂとを重ねて接触させるまでは曲げない）、折目を付けずに、略円弧状に曲げ変形可能に、復元力を維持して、弾性変形できることとなる。
【００１８】
また、ストロー５を挿通孔１２，２２に挿通させた際には、図７に示すように、上縁側部１１と下縁側部２１との各々の挿通孔１２，２２の周縁１３，２３における装飾部３０から離れた外縁側と装飾部３０に近い内縁側とが、装飾部３０の復元力によって、ストロー５の外周面５ａに圧接される支持部１４，１５，２４，２５となる。詳しくは、外縁側の支持部１４，２４では、表面１０ａ側の縁１４ａ，２４ａが、外周面５ａに圧接され、内縁側の支持部１５，２５では、裏面１０ｂ側の縁１５ａ，２５ａが、外周面５ａに圧接されることとなる。これらの支持部１４，１５，２４，２５の縁１４ａ，１５ａ，２４ａ，２５ａが、ストロー５の外周面５ａに圧接されることによって生ずる摩擦抵抗により、ストロー５からの装飾体１０の脱落が防止されて、装飾体１０が、ストロー５に取り付けられることとなる。
【００１９】
さらに、実施形態の場合、上縁側部１１と下縁側部２１とは、それぞれ、挿通孔１２，２２を有した略円環状として、装飾部３０（装飾本体部３１）を、大きく見せるように効果的に表示できるように、装飾部３０の幅寸法（挿通孔１２，２２を結ぶ中心線ＣＬと直交する方向での幅寸法）Ｗ３より、幅寸法Ｗ１，Ｗ２が小さく設定されている。
【００２０】
実施形態の場合、具体的には、挿通孔１２，２２の周囲に、強度を確保できるように、５ｍｍの幅代Ｗｔを有した環状部１１ｃ，２１ｃを設けて、上縁側部１１と下縁側部２１との幅寸法Ｗ１，Ｗ２が１８ｍｍとして、装飾部３０の幅寸法Ｗ３が４０ｍｍとして、幅寸法Ｗ３が幅寸法Ｗ１，Ｗ２の２．２倍としている。
【００２１】
なお、実施形態では、ストロー５の外径寸法Ｄは５ｍｍ、挿通孔１２，２２の内径寸法ｄは８ｍｍとしている。また、挿通孔１２，２２間の距離Ｌは、４５ｍｍとし、８ｍｍの内径寸法ｄの５．６３倍としている。
【００２２】
また、実施形態の場合、基材３５の厚さ寸法ｔ１は、０．２３ｍｍとして、フィルム層３７の厚さ寸法ｔ２は、０．１ｍｍとし、インク層３６の厚さ寸法ｔ３は、０．０３ｍｍ程度として、装飾体１０の厚さ寸法ｔ０は、０．３６ｍｍ程度としている。
【００２３】
実施形態のストロー用装飾体１０では、使用時、装飾部３０の裏面１０ｂ側から上縁側部１１と下縁側部２１との表面１０ａ側にストロー５を配置させるように、上縁側部１１と下縁側部２１との挿通孔１２，２２に、ストロー５を挿通させれば、装飾部３０の全域が、ストロー５に隠れずに、露出されることとなって、装飾部３０により、ストローの意匠効果が高められる。また、上縁側部１１と下縁側部２１との挿通孔１２，２２に共にストロー５を挿通させれば、装飾部３０を含めたストロー用装飾体１０が、ストロー５から外れない。すなわち、単に、上縁側部１１と下縁側部２１との挿通孔１２，２２にストロー５を挿通させるだけで、簡単に、ストロー用装飾体１０をストロー５に取り付けることができる。
【００２４】
したがって、実施形態のストロー用装飾体１０では、ストロー５に簡便に取り付けることができて、ストロー５の意匠性を容易に高めることができる。
【００２５】
また、実施形態のストロー用装飾体１０では、上縁側部１１と下縁側部２１との各々の挿通孔１２，２２の周縁１３，２３における装飾部３０から離れた外縁側と装飾部３０に近い内縁側とが、上縁側部１１と下縁側部２１との挿通孔１２，２２へのストロー５の挿通時において、装飾部３０の復元力によってストロー５の外周面５ａに圧接される支持部１４，１５，２４，２５、を構成している。
【００２６】
すなわち、装飾部３０の装飾本体部３１を表面１０ａ側に配置させた状態で、装飾部３０の裏面１０ｂ側にストロー５の一部を配設する状態で、上縁側部１１と下縁側部２１との各々の挿通孔１２，２２にストロー５を挿通させれば、装飾部３０が、略円弧状に曲げ変形して、上縁側部１１と下縁側部２１とのそれぞれの挿通孔１２，２２の周縁１３，２３における外縁側と内縁側との各支持部１４，１５，２４，２５が、装飾部３０の復元力により、ストロー５の外周面５ａに圧接されて、ストロー５からの脱落を防止されて、ストロー５に取り付けられることとなる。そのため、実施形態のストロー用装飾体１０では、装飾部３０の装飾本体部３１の部位を、表面１０ａ側に配置させて、表面１０ａ側に凸状に突出させるように、装飾部３０を曲げつつ、単に、ストロー５を、所定位置まで、上縁側部１１と下縁側部２１との挿通孔１２，２２に挿通させるだけで、簡便に、脱落させずに（ストロー５の軸方向に移動させずに）、ストロー５に取り付けることができる。そして、ストロー５に取り付けられたストロー用装飾体１０は、凸状に膨らんだ装飾部３０の表面１０ａ側に、装飾本体部３１を配置させており、ストロー５は、出っ張って目視し易くなった装飾部３０の装飾本体部３１により、意匠効果が高められることとなる。
【００２７】
また、実施形態のストロー用装飾体１０では、シート材９が、紙からなる基材３５と、基材３５の表面側に印刷されて装飾部３０の装飾本体部３１を構成するインク層３６と、インク層３６を覆って基材３５の表面側に貼着される透明な合成樹脂製のフィルム層３７と、を備えて構成されている
【００２８】
すなわち、装飾体１０は、インク層３６を基材３５に印刷して、フィルム層３７としてのラミネートフィルム３７を基材３５に貼着させるだけの簡便な工程により、容易に製造できて、簡便かつ安価に装飾体１０を得ることができる。勿論、フィルム層３７は、インク層３６を保護して、装飾本体部３１の耐久性を向上させることができるとともに、基材３５に復元力を与えることができる。そのため、この装飾体１０では、折目の発生を抑制して、装飾部３０の装飾本体部３１の部位を、凸状の曲面状に突出させることができて、使用者や周囲の人に装飾本体部３１をアピールすることができて、一層、ストロー５の意匠効果を向上させることができる。勿論、基材３５は、フィルム層３７により、防水性も確保できて、コップ１内の飲料や氷等がかかっても、その装飾部３０の曲面状の形状を維持し易い。
【００２９】
さらに、実施形態のストロー用装飾体１０では、上縁側部１１と下縁側部２１とが、それぞれ、挿通孔１２，２２を有した略円環状として、装飾部３０の幅寸法Ｗ３より、幅寸法Ｗ１，Ｗ２を小さく設定されている。
【００３０】
すなわち、実施形態では、装飾本体部３１を有した装飾部３０が、ストロー５に取り付けられた上縁側部１１や下縁側部２１より幅寸法Ｗ３を広くして、ストロー５の前面側に円弧状の曲面状に突出することから、装飾部３０の表面１０ａ側に設けられた装飾本体部３１を、大きな幅寸法として、立体的に突出させる状態となって、使用者や周囲の人に対して、装飾部３０の装飾本体部３１を、一層、アピールすることができて、ストロー５の意匠効果をより向上させることができる。
【００３１】
なお、上縁側部１１や下縁側部２１の挿通孔１２，２２の幅代Ｗｔは、実施形態の場合、５ｍｍとしたが、装飾体１０のストロー５への取付時、破断することなく、ストロー５を挿通孔１２，２２に挿通できれば、増減してもよく、より小さくできれば、上縁側部１１や下縁側部２１より、装飾部３０をより大きく見せることができて、好ましい。但し、装飾体１０が、薄いシート材９から形成されることを考慮すれば、破断強度を確保する上で、挿通孔１２，２２の幅代Ｗｔは、１〜６ｍｍ程度、必要となり、その結果、Ｗ１，Ｗ２は、最少寸法としてを、ｄ＋（１×２＝２）ｍｍ程度となる。
【００３２】
また、装飾部３０が、上縁側部１１と下縁側部２１との幅寸法Ｗ１，Ｗ２より、幅寸法Ｗ３を大きくしていれば、上縁側部１１の上縁１１ａと下縁側部２１の下縁２１ｂを接近させるように、装飾部３０を曲げ変形する際、幅広となっている分、曲げ応力を小さくできて、装飾部３０の曲げの曲率を大きくしても、折れることを抑制できる。そのため、装飾体１０の上下方向の全長ＦＬを小さくして、飲料２の飲用時のコップ１から突出するストロー５の上部側のコンパクトなスペースでも、容易に、装飾体１０を取り付けることができる。
【００３３】
但し、装飾部３０の幅寸法Ｗ３が大きくなりすぎれば、装飾部３０が重くなり、装飾体１０を取り付けたストロー５が回転して、装飾本体部３１がストロー５の後側（裏側）に配置されて、ストロー５の意匠効果を低減させてしまう。そのため、装飾部３０の幅寸法Ｗ３は、上縁側部１１や下縁側部２１の幅寸法Ｗ１，Ｗ２の２〜１０倍程度、好ましくは２〜５倍程度、が望ましい。実施形態では、既述したように、上縁側部１１と下縁側部２１との幅寸法Ｗ１，Ｗ２が１８ｍｍとして、装飾部３０の幅寸法Ｗ３が４０ｍｍとし、幅寸法Ｗ３は幅寸法Ｗ１，Ｗ２の２．２倍としている。
【００３４】
また、上縁側部１１と下縁側部２１との挿通孔１２，２２間の距離Ｌが、装飾部３０を曲面状に曲げ変形させて、二つの挿通孔１２，２２にストロー５を挿通可能とする寸法として、設定されていれば、装飾部３０の装飾本体部３１を、立体的な曲面状に突出させた装飾部３０の表面１０ａ側に、安定して配置させることができて、装飾本体部３１の意匠効果を的確にストロー５に反映できる。
【００３５】
但し、挿通孔１２，２２間の距離Ｌが短ければ、ストロー５を挿通孔１２，２２に通すように、装飾部３０を曲げる際、折目が付き易く、幅方向に沿う折目が付けば、復元力を低下させたり、あるいは、折目の下側の部位が見難くなって、装飾本体部３１の意匠効果を低下させてしまう。逆に、挿通孔１２，２２間の距離Ｌが長すぎれば、装飾部３０に折目が付き難くなるもの、飲用時のコップ１から突出するストロー５の上部側に、装飾体１０を取り付けるスペースを広く確保する必要が生じて、簡便に、既存のストロー５に取り付ける装飾体１０としては、好ましくない。そのため、挿通孔１２，２２間の距離Ｌは、挿通孔１２，２２の内径寸法ｄの３〜１０倍程度、好ましくは３〜６倍程度、が望ましい。実施形態では、挿通孔１２，２２間の距離Ｌが４５ｍｍとし、８ｍｍの内径寸法ｄの５．６３倍としている。
【００３６】
また、装飾体１０は、厚さ寸法ｔ０が厚くなりすぎれば、装飾部３０を曲げてストロー５に取り付ける際、ストロー５を曲げる虞れも生ずることから、汎用の厚さ寸法ｔ２を０．１ｍｍ程度としたラミネートフィルム３７を使用する場合、製造される装飾体１０の厚さ寸法ｔ０としては、０．２〜０．５ｍｍ程度、好ましくは、０．３〜０．４ｍｍ程度、が望ましい。この場合、紙からなる基材３５は、厚さ寸法ｔ１を０．１〜０．３ｍｍ程度としたものを使用することとなる。
【００３７】
さらに、装飾部３０の形状は、実施形態の楕円形状に限定されるものではなく、装飾本体部３１の図形等に応じて、適宜、変更できる。例えば、図８，９に示すストロー用装飾体１０Ａに示すように、上縁側部１１Ａと下縁側部２１Ａとの間の装飾部３０Ａが、左右非対称のバナナの外形形状に対応させ、そして、バナナを描いた装飾本体部３１Ａを設けて、構成してもよい。この装飾体１０Ａは、装飾部３０Ａの形状と装飾本体部３１Ａの意匠が、装飾体１０と異なっているが、装飾体１０を構成するシート材９と同様な基材３５、インク層３６、及び、フィルム層（ラミネートフィルム）３７、を備えてなるシート材から形成されている。
【符号の説明】
【００３８】
５…ストロー、５ａ…外周面、９…シート材、１０，１０Ａ…ストロー用装飾体、１０ａ…表面、１０ｂ…裏面、１１，１１Ａ…上縁側部、１２…（上側）挿通孔、１４…（外縁側）支持部、１５…（内縁側）支持部、２１，２１Ａ…下縁側部、２２…（上側）挿通孔、２４…（外縁側）支持部、２５…（内縁側）支持部、３０，３０Ａ…装飾部、３１，３１Ａ…装飾本体部。
【図１】
2017205360.tif 000003
【図２】
2017205360.tif 000004
【図３】
2017205360.tif 000005
【図４】
2017205360.tif 000006
【図５】
2017205360.tif 000007
【図６】
2017205360.tif 000008
【図７】
2017205360.tif 000009
【図８】
2017205360.tif 000010
【図９】
2017205360.tif 000011
【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
筒状のストローに取り付けるストロー用装飾体であって、
復元可能に撓むことのできるシート材からなり、
両側の縁の一方が、上縁側部とし、他方が下縁側部として構成されるとともに、前記上縁側部と前記下縁側部との間に、装飾部が配設される構成として、
前記装飾部の裏面側から前記上縁側部と前記下縁側部との表面側に前記ストローを配置可能に、前記ストローを挿通可能な挿通孔が、前記上縁側部と前記下縁側部とに、配設され、
前記装飾体に折目を付けずに、前記装飾部を曲面状に曲げ変形させて、前記上縁側部と前記下縁側部との二つの前記挿通孔に前記ストローを挿通可能で、かつ、前記ストローからの脱落を防止可能に、
前記上縁側部と前記下縁側部との各々の前記挿通孔の周縁における前記装飾部から離れた外縁側の表面側の縁と前記装飾部に近い内縁側の裏面側の縁とが、前記上縁側部と前記下縁側部との前記挿通孔への前記ストローの挿通時において、前記装飾部の復元力によって前記ストローの外周面に圧接される支持部、を構成していることを特徴とするストロー用装飾体。
【手続補正２】
【補正対象書類名】明細書
【補正対象項目名】０００７
【補正方法】変更
【補正の内容】
【０００７】
本発明に係るストロー用装飾体は、筒状のストローに取り付けるストロー用装飾体であって、
復元可能に撓むことのできるシート材からなり、
両側の縁の一方が、上縁側部とし、他方が下縁側部として構成されるとともに、前記上縁側部と前記下縁側部との間に、装飾部が配設される構成として、
前記装飾部の裏面側から前記上縁側部と前記下縁側部との表面側に前記ストローを配置可能に、前記ストローを挿通可能な挿通孔が、前記上縁側部と前記下縁側部とに、配設され、
前記装飾体に折目を付けずに、前記装飾部を曲面状に曲げ変形させて、前記上縁側部と前記下縁側部との二つの前記挿通孔に前記ストローを挿通可能で、かつ、前記ストローからの脱落を防止可能に、
前記上縁側部と前記下縁側部との各々の前記挿通孔の周縁における前記装飾部から離れた外縁側の表面側の縁と前記装飾部に近い内縁側の裏面側の縁とが、前記上縁側部と前記下縁側部との前記挿通孔への前記ストローの挿通時において、前記装飾部の復元力によって前記ストローの外周面に圧接される支持部、を構成していることを特徴とする。